(57)【要約】【課題】薬液を容易に、しかも適確に点眼する。【解決手段】口部１２を容器本体１０の軸線Ｃから傾けて形成し、注出ノズル１３の注出口１３ｃを軸線Ｃに対して実質的に直角方向に開口させる。２側面１１ａ、１１ｂを手指で挟むように押圧して弾性変形させると、注出口１３ｃからの薬液を正しく点眼することができる。【選択図】  図１
2004350921.tif 000002
【特許請求の範囲】
【請求項１】
２側面を手指で挟むように押圧して弾性変形させる容器本体と、該容器本体の口部に装着する注出ノズルとを備えてなり、前記口部は、前記容器本体の押圧方向の一方側に傾けることを特徴とする点眼薬容器。
【請求項２】
前記注出ノズルの注出口は、前記口部の傾き側において、前記容器本体の軸線に対して実質的に直角方向に開口させることを特徴とする請求項１記載の点眼薬容器。
【請求項３】
前記口部には、前記注出口を閉じるキャップを着脱自在に付設することを特徴とする請求項１または請求項２記載の点眼薬容器。
【請求項４】
前記容器本体は、手指で押圧する前記２側面の厚さを互いに異ならせることを特徴とする請求項１ないし請求項３のいずれか記載の点眼薬容器。
【請求項５】
前記容器本体は、前記口部の傾き側を実質的に滑らかに形成することを特徴とする請求項１ないし請求項４のいずれか記載の点眼薬容器。
【発明の詳細な説明】
【０００１】
【発明の属する技術分野】
この発明は、薬液を容易に、しかも適確に点眼することができる点眼薬容器に関する。
【０００２】
【従来の技術】
眼精疲労や結膜炎などの目の症状を軽快させるために、家庭用の点眼薬が広く市販されている。
【０００３】
従来の点眼薬容器は、たとえば硬質プラスチック製の小形の偏平容器であって、注出ノズルを装着する口部が最上部に上向きに直立して形成されている。そこで、このものは、顔を仰向けた上、口部を下向きにして目の上方に手指で逆さに保持し、手指に力を加えて弾性変形させることにより、注出ノズルからの薬液を眼球上に滴下させて点眼することができる。
【０００４】
【発明が解決しようとする課題】
かかる従来技術によるときは、点眼薬容器は、目の上方に逆さに保持しながら薬液を滴下させる必要があるから、保持位置が安定せず、薬液の滴下位置が目から逸れてしまうことも少なくなく、点眼が必ずしも容易でないという問題があった。
【０００５】
そこで、この発明の目的は、かかる従来技術の問題に鑑み、注出ノズルを装着する口部を容器本体の軸線から傾けることによって、薬液を容易に、しかも適確に点眼することができる点眼薬容器を提供することにある。
【０００６】
【課題を解決するための手段】
かかる目的を達成するためのこの発明の構成は、２側面を手指で挟むように押圧して弾性変形させる容器本体と、容器本体の口部に装着する注出ノズルとを備えてなり、口部は、容器本体の押圧方向の一方側に傾けることをその要旨とする。
【０００７】
なお、注出ノズルの注出口は、口部の傾き側において、容器本体の軸線に対して実質的に直角方向に開口させることができ、口部には、注出口を閉じるキャップを着脱自在に付設することができる。
【０００８】
また、容器本体は、手指で押圧する２側面の厚さを互いに異ならせてもよく、口部の傾き側を実質的に滑らかに形成してもよい。ただし、ここでいう「実質的に滑らかに形成」とは、有害な液溜りとなる段差を生じないように形成することをいう。
【０００９】
【作用】
かかる発明の構成によるときは、容器本体は、たとえば片手の親指と、人差指、中指、薬指とによって２側面を挟んで支持し、親指の関節の背側を鼻梁に軽く乗せることにより、注出ノズルの注出口を目の上方に正しく安定に位置決めして保持することができる。そこで、このまま手指に力を入れて容器本体を弾性変形させれば、薬液を容易に正しく点眼することができる。
【００１０】
容器本体の軸線に対して注出ノズルの注出口を実質的に直角方向に開口させれば、容器本体をほぼ水平に支持することにより注出口を下向きにして、一層良好な使用感を容易に実現することができる。
【００１１】
口部に付設するキャップは、注出口を閉じ、不使用時に容器本体からの薬液が漏れることを防止することができる。なお、キャップは、ねじ式であってもよく、スナップアクションを利用して一挙動により着脱し得る形式であってもよい。
【００１２】
容器本体は、手指で押圧する２側面の厚さを異ならせることにより、２側面の一方のみを優先的に弾性変形させ、点眼時の使用感を向上させることができる。なお、２側面は、親指側を厚くし、他の指側を薄くすることが好ましいが、これを逆にしても構わない。
【００１３】
容器本体は、口部の傾き側を実質的に滑らかに形成することにより、容器本体内に有害な液溜りを生じることがなく、容器本体内の薬液の全量を無駄なく使い切ることができる。なお、注出ノズルは、口部の内面に過大な液溜りを生じないように、口部に対して適切に組み合わせるものとする。
【００１４】
【発明の実施の形態】
以下、図面を以って発明の実施の形態を説明する。
【００１５】
点眼薬容器は、容器本体１０の口部１２に注出ノズル１３を装着してなる（図１、図２）。
【００１６】
容器本体１０は、たとえばポリエチレンテレフタレートのような適度の弾性を有する耐薬品性の硬質プラスチック材料により、上端の口部１２とともに一体成形されている。容器本体１０は、たとえば横断面略楕円形の偏平な縦長容器であって、横断面の短軸方向の２側面１１ａ、１１ｂを手指で挟むように押圧することにより（図１の矢印Ａ、Ｂ方向）、適度に弾性変形させることができる。
【００１７】
口部１２は、容器本体１０の軸線Ｃに対し、２側面１１ａ、１１ｂの一方側、すなわち容器本体１０の押圧方向の一方側に斜めに傾けて形成されている。そこで、口部１２の軸線Ｃ１  は、容器本体１０の軸線Ｃに対し、傾き角θ１  （ただし、９０°＜θ１  ＜１８０°）となっている。なお、口部１２の外周には、ねじ式のキャップ１４用の雄ねじ１２ａが形成されている。容器本体１０の２側面１１ａ、１１ｂは、厚さを互いに異ならせて形成されており、図１では、口部１２の傾き側の側面１１ａが他方の側面１１ｂより厚く形成されている。また、容器本体１０は、口部１２の傾き側の側面１１ａから口部１２までの間に有害な液溜りが生じないように、口部１２の傾き側が実質的に滑らかに形成されている。
【００１８】
注出ノズル１３は、口部１２に圧入するスカート状の圧入部１３ａ、口部１２の先端と同径のリング状の外フランジ１３ｂを有し、口部１２の先端に突出するドーム状の頂部には、軸線Ｃ１  から逸らせて注出口１３ｃが開口されている。圧入部１３ａは、口部１２の軸線Ｃ１  方向の長さより短く、外フランジ１３ｂから離れるに従って、すなわち外フランジ１３ｂから容器本体１０内の先端に向けて一様に薄肉に形成されており、したがって、圧入部１３ａの内面は、口部１２の内面に対し、過大な液溜りが生じないように連続している。また、注出口１３ｃは、口部１２の傾き側において、容器本体１０の軸線Ｃに対して実質的に直角方向に開口されている。すなわち、注出口１３ｃの軸線Ｃ２  は、容器本体１０の軸線Ｃに対し、傾き角θ２  （ただし、９０°＜θ２  ＜１３５°）となっている。
【００１９】
キャップ１４は、注出ノズル１３に被せるようにして口部１２に着脱自在に装着することができる（図１の実線、二点鎖線）。なお、キャップ１４には、口部１２側の雄ねじ１２ａに適合する雌ねじ１４ａが形成され、注出ノズル１３の外フランジ１３ｂに係合するストッパ用の段１４ｂが形成されている。キャップ１４は、口部１２に装着することにより、注出ノズル１３の注出口１３ｃを閉じることができる。
【００２０】
点眼薬容器は、親指Ｆ１  を一方の側面１１ａに当てがい（図３）、人差指Ｆ２  、中指Ｆ３  、薬指Ｆ４  を他方の側面１１ｂに当てがって容器本体１０を横から挟むようにして把持し、顔を仰向けて親指Ｆ１  の関節の背側を鼻梁に軽く乗せるようにして支持すると、口部１２の注出ノズル１３を自分の目の上方に位置決めして安定に保持することができる。なお、このとき、容器本体１０は、ほぼ水平に支持され、注出ノズル１３の注出口１３ｃは、ほぼ下向きとなる。そこで、このまま手指に力を入れて容器本体１０の２側面１１ａ、１１ｂのうち、薄い方の側面１１ｂを弾性変形させると、容器本体１０内の薬液が注出口１３ｃから排出され、簡単に正しく点眼することができる。
【００２１】
なお、注出口１３ｃの傾き角θ２  がθ２  ≦９０°またはθ２  ≧１３５°であると、注出口１３ｃをほぼ下向きにするために容器本体１０を図３の左右のいずれかに極端に傾けなければならず、良好な使用感が得られない。また、図３において、薬指Ｆ４  は、小指Ｆ５  と同様に側面１１ｂから離してもよく、このときの人差指Ｆ２  、中指Ｆ３  は、親指Ｆ１  の上方両側に左右対称に配置することが好ましい。
【００２２】
以上の説明において、点眼薬容器は、親指Ｆ１  と、人差指Ｆ２  、中指Ｆ３  とにより、容器本体１０の底部側から２側面１１ａ、１１ｂを把持し、他人の目にも容易に支障なく点眼することができる（図４）。
【００２３】
【他の実施の形態】
口部１２は、容器本体１０に対し、ほぼ直角方向に傾けてもよい（図５）。なお、このときの注出ノズル１３の注出口１３ｃは、口部１２の軸線Ｃ１  上に開口させてもよい。すなわち、図５において、口部１２の軸線Ｃ１  、注出口１３ｃの軸線Ｃ２  は、互いに共通となっており、容器本体１０の軸線Ｃに対する傾き角θ１  （ただし、９０°＜θ１  ＜１３５°）となっている。なお、同図の容器本体１０は、２側面１１ａ、１１ｂが同一厚さに形成されている。
【００２４】
注出ノズル１３は、口部１２の内面に有害な液溜りを生じることがなければよく、さまざまに変形させることができる（図６）。たとえば、注出ノズル１３の圧入部１３ａの先端内面には、口部１２の軸線Ｃ１  方向に短い斜面や、凸の曲面を形成してもよい（同図（Ａ）、（Ｂ））。また、圧入部１３ａは、容器本体１０内の先端に向けて薄肉に形成するとともに、口部１２の内面を容器本体１０の外側に向けてテーパ状に開拡させてもよい（同図（Ｃ））。さらに、先端部分を薄肉にする圧入部１３ａに合わせて、口部１２の先端部内面を大径に形成してもよい（同図（Ｄ））。
【００２５】
また、点眼時に注出口１３ｃを下向きにすることに拘らなければ、図５の注出ノズル１３を図１の容器本体１０の口部１２に組み合わせることも可能である。
【００２６】
以上の説明において、容器本体１０の全体形状は、手指で押圧して弾性変形させるための２側面１１ａ、１１ｂを有する限り、任意に変更可能である。たとえば、２側面１１ａ、１１ｂは、互いに平行またはほぼ平行な平面であってもよく、それぞれの表面に滑止め用の適当な凹凸模様が形成されていてもよい。また、２側面１１ａ、１１ｂ以外の側面は、上下方向に直線的に形成するに代えて、左右に円弧状または多角形状に膨出させてもよい。
【００２７】
【発明の効果】
以上説明したように、この発明によれば、容器本体の口部を押圧方向の一方側に傾けることによって、手指で容器本体を把持し、たとえば鼻梁を介して注出ノズルの注出口を目の上方に安定に位置決めして保持することができるから、薬液を極めて容易にしかも適確に点眼することができるという優れた効果がある。
【図面の簡単な説明】
【図１】全体構成中央縦断面説明図
【図２】全体斜視図
【図３】使用状態説明図（１）
【図４】使用状態説明図（２）
【図５】他の実施の形態を示す図１相当図
【図６】他の実施の形態を示す要部断面説明図
【符号の説明】
Ｃ、Ｃ１  …軸線
１０…容器本体
１１ａ、１１ｂ…側面
１２…口部
１３…注出ノズル
１３ｃ…注出口
１４…キャップ
【図１】
2004350921.tif 000003
【図２】
2004350921.tif 000004
【図３】
2004350921.tif 000005
【図４】
2004350921.tif 000006
【図５】
2004350921.tif 000007
【図６】
2004350921.tif 000008